(57)【特許請求の範囲】
【請求項１】
平らな表面板と、円形状のディンプルを配列させたディンプル群を有する裏面板と、その表面板と裏面板との間を充填させる充填材とを備えたフリーアクセスフロア用のフロアパネルにおいて、
前記裏面板の各辺部分には、裏面板の縦方向或いは横方向の前記各ディンプルに沿わせた略１／２の円形状の半ディンプルが一列状に形成され、
これらディンプル及び半ディンプルから立ち上がる頂点が、表面板に溶接またはカシメによりそれぞれ固着一体化されていることを特徴とするフロアパネル。
【請求項２】
各辺部分の半ディンプルから立ち上がる頂点が、各辺部分寄りに形成されることを特徴とする請求項１記載のフロアパネル。
【請求項３】
各辺部分の半ディンプルは、これら半ディンプルから立ち上がる傾斜角度が円形状のディンプルより強い傾斜片であることを特徴とする請求項１又は２記載のフロアパネル。
【請求項４】
裏面板の各辺部分に段部を設けて裏面板の中央部に平らな凹面を形成させ、その凹面にディンプル群が配列されていることを特徴とする請求項１，２又は３記載のフロアパネル。
【請求項５】
裏面板の各隅部分には、略１／４の円形状の分割ディンプルがそれぞれ形成されていることを特徴とする請求項１から４記載のフロアパネル。
【請求項６】
裏面板の各隅部分には、隆起状の補強凸部がそれぞれ形成されていることを特徴とする請求項４記載のフロアパネル。
【発明の詳細な説明】
【０００１】
【発明の属する技術分野】
本発明は、フリーアクセスフロアを構成するフロアパネルに係り、特に、フロアパネルのたわみ抑制を主目的とするフロアパネルに関するものである。
【０００２】
【従来の技術】
従来、フロアパネルのたわみ抑制のために、ディンプルの数を多くしたり、充填材の比重値を高める構成が考えられる。しかし、ディンプルを多くすることは、コスト的に高価になる。また、充填材の比重値を高めることは、フロアパネル自体の重量が重くなる問題があった。
【０００３】
このような観点から、例えば、特許第２５０７１９３号に示すような格子状にディンプルを配置したものや、特許第２７１１２４０号に示すようにディンプル同士を繋げてリブを設けた形状のものが知られている。
【０００４】
【発明が解決しようとする課題】
しかしながら、このようなパネル構造にあっては、その裏面板に形成したディンプルが全て円形状となっているために、表面板に当接する頂点（溶接点）がパネルの各辺部分から遠くなり、辺周辺の荷重試験を行うと、辺中央部分の強度が弱くなってたわみが増すという問題があった。
【０００５】
本発明は、このような問題点を解決したものであり、フロアパネルのたわみ抑制を図ってたわみ量を少なくすることを主目的とするフロアパネルを提供するものである。
【０００６】
【課題を解決するための手段】
上記の目的を達成するために、本発明の請求項１記載の発明は、平らな表面板と、円形状のディンプルを配列させたディンプル群を有する裏面板と、その表面板と裏面板との間を充填させる充填材とを備えたフリーアクセスフロア用のフロアパネルにおいて、
前記裏面板の各辺部分には、裏面板の縦方向或いは横方向の前記各ディンプルに沿わせた略１／２の円形状の半ディンプルが一列状に形成され、
これらディンプル及び半ディンプルから立ち上がる頂点が、表面板に溶接またはカシメによりそれぞれ固着一体化されていることを特徴としている。
【０００７】
本発明の請求項２記載の発明は、各辺部分の半ディンプルから立ち上がる頂点が、各辺部分寄りに形成されることを特徴としている。
【０００８】
本発明の請求項３記載の発明は、各辺部分の半ディンプルは、これら半ディンプルから立ち上がる傾斜角度が格子状の円形状のディンプルより強い傾斜片であることを特徴としている。
【０００９】
本発明の請求項４記載の発明は、裏面板の各辺部分に段部を設けて裏面板の中央部に平らな凹面が形成させ、その凹面にディンプル群が配列されていることを特徴としている。
【００１０】
本発明の請求項５記載の発明は、裏面板の各隅部分には、略１／４の円形状の分割ディンプルがそれぞれ形成されていることを特徴としている
【００１１】
本発明の請求項６記載の発明は、裏面板の各隅部分には、隆起状の補強凸部がそれぞれ形成されていることを特徴としている。
【００１２】
ここで、「円形状のディンプルを配列させたディンプル群」は、格子状や千鳥状などその配列は問わない。
また、「裏面板の各辺部分」とは、ディンプル群を有する裏面板の縦及び横方向における端縁部分を言う。すなわち、裏面板に配列させたディンプル群の外側部位である。裏面板の各辺部分に段部を設けて裏面板の中央部に平らな凹面を形成させ、その凹面にディンプル群が配列されている場合には、ディンプル群の外側部位に、表面板に向かって窪んだ状態で円形状の各ディンプルに沿わせて縦及び横方向に一列状に略１／２の円形状の半ディンプルが、その向きは半円形状の開いた端縁が裏面板の各辺部分の段部に接していることが好ましい。
【００１３】
さらに、「裏面板の各隅部分」とは、ディンプル群を有する裏面板の４つの隅部をいう。裏面板の段部を介して設けた凹面が形成されている場合には、その凹面の４つの隅部をいう。これら隅部において表面板に向かって窪んだ状態で略１／４の円形状に形成させた分割ディンプルが構成されているとより好ましい。凹面の４つの隅部では、分割ディンプルはその略１／４の円形状の開いた端縁が段部に接している。また、凹面の４つの隅部には分割ディンプルの代わりに、なだらかな隆起状の補強凸部を設けてもよい。
【００１４】
このフロアパネル１は、鋼板製の表面板２及び裏面板３とで方形に構成され、平らな表面板２の外周縁を折り返してカシメ４により裏面板３の外周縁を挟持させて一体構造化させているが、その他公知の手段で構成してもよい。
【００１５】
また、裏面板３には、その外周縁部を除いて段部３０によって中央部に凹面３１を形成し、そこに表面板２に向かって窪んで複数個の円形状のディンプル５，５，…からなるディンプル群５０を配列してもよい。このディンプル５，５，…は、円形状からなる緩い傾斜角度の傾斜片５００の頂点５０１が表面板２に溶接５０２でそれぞれ固着されている。なお、この裏面板３には、必ずしも凹面３１は必要ではなく、同一面であってもよい。
【００１６】
そして、このディンプル群５０の外側部位には、表面板２に向かって窪み、各ディンプル５，５，…に沿わせて縦及び横方向に一列状に略１／２の円形状の半ディンプル６，６，…が形成されている。この半ディンプル６，６，…は、略１／２の円形状であるために、円形状の強い傾斜角度の傾斜片６００の頂点６０１が表面板２に溶接６０２でそれぞれ固着されている。
【００１７】
また、この裏面板３の４つの隅部（各隅部分）には、略１／４の円形状の分割ディンプル７，７，…が形成されている。この分割ディンプル７，７，…は、略１／４の円形状であるために、各円形状の強い傾斜角度の傾斜片７００の頂点７０１が表面板２に溶接７０２でそれぞれ固着されている。
【００１８】
上記表面板２と裏面板３との間には、充填材８が充填されている。充填材としては、軽量発泡コンクリート、粒状パーライトを混入した無機質セメント等公知のものが使用できる。また、表面板２の４つの隅部には、円弧状の凹み部２００があり、図中、３００，３００，…は、係合穴である。敷設させる４枚のフロアパネル１，１，…を支持固定する支持具（図示省略）の頭部が係合するように構成される。
【００１９】
【作用】
請求項１記載の発明によれば、裏面板の各辺部分にあっては、円形状のディンプルの場合に比べて、半ディンプルとしてその半円形状の頂部（溶接点）が各辺部分側の近くで表面板と溶接やカシメられることにより、その各辺部分のたわみの抑制効果と、半形状の基端部からの傾斜角度を持った立ち上がりによる抑制効果が働き、各辺部分のたわみ量を少なくすることができ、フロアパネルの強度化が図れる。
【００２０】
請求項２又は３記載の発明では、半ディンプルから立ち上がる頂点が各辺部分寄りに形成され、また、半ディンプル及び分割ディンプルは、これらディンプルの立ち上がる傾斜角度が円形状のディンプルより強い傾斜片であるため、請求項１記載の発明による抑制効果がより確実に働き、各辺部分のたわみ量をより少なくでき、また、充填させるコンクリートの量をより増加できる。このため、さらにフロアパネルの強度化が図れる。
【００２１】
また、請求項４記載の発明でも、裏面板の凹面の各辺部分は半ディンプルであるから、請求項１から３記載の発明と同じように、円形状のディンプルの場合に比べて、半ディンプルとしてその半円形状の頂部（溶接点）が各辺部分側の近くで表面板と溶接やカシメられることにより、その各辺部分のたわみの抑制効果と、半形状の基端部からの傾斜角度を持った立ち上がりによる抑制効果が働き、各辺部分のたわみ量を少なくすることができ、フロアパネルの強度化が図れる。
【００２２】
請求項５又は６記載の発明では、各隅部が分割ディンプル又は補強凸部により補強されるため、請求項１記載の抑制効果がより効果的に働き、各辺部分のたわみ量を少なくできる。このため、さらにフロアパネルの強度化が図れる。
【００２３】
【発明の実施の形態】
本発明の実施形態を図面を参照して説明する。図１は、本発明の第１例を示すフロアパネルの平面図、図２は、同底面図、図３は、図２のＡ−Ａ断面図、図４は、同Ｂ−Ｂ断面図、図５は、同Ｃ−Ｃ拡大断面図、図６は、本発明の第２例を示すフロアパネルの底面図、図７は、本発明の第３例を示すフロアパネルの底面図、図８は、本発明の第４例を示すフロアパネルの底面図、図９は、図８のＤ−Ｄ断面図、図１０は、本発明の第５例を示すフロアパネルの底面図、図１１は、図１０のＥ−Ｅ断面図、図１２は、本発明のフロアパネルの試験結果を示す表である。
【００２４】
図１〜図５に示す第１例のフロアパネルを説明する。この方形のフロアパネル１は、鋼板製の表面板２及び裏面板３とで構成され、平らな表面板２の外周縁を折り返してカシメ４により裏面板３の外周縁を挟持させて一体構造としてある。
【００２５】
これら表面板２及び裏面板３は、以下の４つの実施例に共通するものであり、厚さ０．８ｍｍの普通圧延鋼板を使用し、製品として厚さ２８ｍｍ、縦×横の寸法は５００×５００ｍｍである。
【００２６】
裏面板３には、その外周縁部を除いて段部３０を介して裏面板３の中央部に設けた凹面３１に、表面板２に向かって窪んで等間隔に複数個の円形状のディンプル５，５，…からなるディンプル群５０が格子状に配列され、また、このディンプル５，５，…の円形状からなる緩い傾斜角度の傾斜片５００の頂点５０１が表面板２に溶接５０２でそれぞれ固着されている。
【００２７】
このディンプル群５０の外側部位である前記裏面板３の段部３０には、この段部３０に接するように表面板２に向かって窪んで等間隔の各ディンプル５，５，…に沿わせて縦及び横方向一列状に略１／２の円形状の半ディンプル６，６，…が形成され、この半ディンプル６，６，…の円形状の強い傾斜角度の急傾斜片６００の頂点６０１が表面板２に溶接６０２でそれぞれ固着されている。そして、この半ディンプル６，６，…の向きは、その半円形状の開いた端縁６０５が裏面板３の段部３０に接している。なお、図示省略するが、前記溶接５０２と溶接６０２に代えて周知のカシメ手段を採用して裏面板３を表面板２に固着させてもよい。
【００２８】
この裏面板３の４つの隅部には、略１／４の円形状の分割ディンプル７，７，…が形成され、この分割ディンプル７，７，…の各円形状の強い傾斜角度の急傾斜片７００の頂点７０１が表面板２に溶接７０２でそれぞれ固着されている。この分割ディンプル７，７，…の向きは、その分割円形状の開いた端縁７０５が裏面板３の段部３０に接している。なお、この溶接７０２に代えて、同様に周知のカシメ手段を採用して固着できる。このように第１例のフロアパネル１の裏面板３には、縦・横方向にそれぞれ６個ずつのディンプル、詳しくは両端に１／４の分割ディンプル７，７が２個と、１／２の半ディンプル６，６，…が４個とからなる計６個のディンプルが形成してある。
【００２９】
上記表面板２と裏面板３との間には、コンクリート、詳しくは軽量発泡コンクリート８が充填されている。また、表面板２の４つの隅部には、円弧状の凹み部２００があり、図中、３００，３００，…は、係合穴である。敷設させる４枚のフロアパネル１，１，…を支持固定する支持具（図示省略）の頭部が係合するように構成されている。
【００３０】
図６に示す第２例のフロアパネル１０を説明するが、このフロアパネル１０の基本構成は、第１例と同じ構成であるから、異なる点を説明する。この裏面板３２には、縦・横方向が５×５の円形状のディンプル５からなるディンプル群５１の外側部位である裏面板３２の段部３０に接する各辺部位には、この等間隔のディンプル５，５，…に沿った両端に１／４の分割ディンプル７０，７０が２個と、１／２の半ディンプル６０，６０，…が５個とからなる計７個のディンプルとが形成してある。
【００３１】
また、図７に示す第３例のフロアパネル１１を説明する。このフロアパネル１１の裏面板３３には、縦・横方向が５×５の円形状のディンプル５からなるディンプル群５１の外側部位である裏面板３３の段部３０に接する各辺部位には、この等間隔のディンプル５，５，…に沿った両端に１／４の分割ディンプル７０，７０が２個と１／２の半ディンプル６０，６０，…が５個とからなる計７個のディンプルが形成してあり、ディンプル群５１の中心部のディンプル５が省いてある。
【００３２】
図８に示す第４例は、図２に示す第１例のディンプル群にあって、裏面板３の４つの隅部に形成された分割ディンプル７，７，…を隆起状の補強凸部９，９，…としたものである。詳しくは、補強凸部９の断面形状を説明する図９のＤ−Ｄ断面図で示される。すなわち、４つの隅部に隆起状のなだらかな盛り上がりを設けて、表面板２との間を充填材で充填させたものである。これによって、この部分は肉厚となるので、分割ディンプル７，７，…を設けた場合と同様のたわみ抑制効果を生ずる。
【００３３】
さらに、図１０及び図１１に示す第５例のフロアパネル１２を説明すると、このフロアパネル１２の裏面板３４は、前記する段部３０を設けずにその裏面板３４が平らな同一面３５を形成している構成が異なるだけで、その他の構成は同じであるから第１例と同じ符号を付してその説明を省略する。
【００３４】
図１２は、ＪＩＳ  Ａ１４５０またはＪＡＦＡフリーアクセスフロア構成材規格に準拠（ＪＩＳとＪＡＦＡの規格は同じ）する耐荷重・たわみ量の測定方法による試験結果を示している。具体的には、５００×５００ｍｍのフロアパネルの四隅に標準支持脚を置き、フロアパネルを支持する。そして、５ｍｍ／ｍｉｎで荷重をかけておき、５０００Ｎ時のたわみ量及びフロアパネルが破壊するまでの最大荷重を測定した。
【００３５】
このフロアパネルの構成は、ディンプル数が縦・横方向に６×６個と７×７個のものを使用し、第１例に示すように辺部部分に半ディンプルを配したものと、全てのディンプルが円形状のものとに分けられる。載荷位置として、パネル中央に位置する部位を「中央」と言い、「辺中央」とは辺部分中央に位置する部位を言う。そして、これら載荷位置での耐荷重及びたわみ量をそれぞれ測定した。
【００３６】
測定結果は、端部半円形に構成したフロアパネルが耐荷重及びたわみ量において優れていることを示している。ディンプル数が６×６と７×７でのたわみ量が１部で若干逆転しているが、これは「中央」はディンプルがあるところを押すとたわみ量が大きくなる。一方、「辺中央」はディンプルがあるところを押す方がたわみ量が小さくなるためである。
【００３７】
【発明の効果】
本発明は、以上の構成であるから次のような効果がある。
請求項１記載の発明では、裏面板の各辺部分にあっては、円形状のディンプルの場合に比べて、半ディンプルとしてその半円形状の頂部（溶接点）が各辺部分側の近くで表面板と溶接やカシメられることにより、その各辺部分のたわみの抑制効果と、半形状の基端部からの傾斜角度を持った立ち上がりによる抑制効果が働き、各辺部分のたわみ量を少なくすることができ、フロアパネルの強度化が図れる。
【００３８】
請求項２又は３記載の発明では、半ディンプルから立ち上がる頂点が各辺部分寄りに形成され、また、半ディンプルは、これらディンプルの立ち上がる傾斜角度が円形状のディンプルより強い傾斜片であるため、請求項１記載の発明による抑制効果がより確実に働き、各辺部分のたわみ量をより少なくでき、充填させるコンクリートの量をより増加できる。このため、さらにフロアパネルの強度化が図れる。
【００３９】
また、請求項４記載の発明でも、裏面板の凹面の各辺部分は半ディンプルであるから、請求項１から３記載の発明と同じように、円形状のディンプルの場合に比べて、半ディンプルとしてその半円形状の頂部（溶接点）が各辺部分側の近くで表面板と溶接やカシメられることにより、その各辺部分のたわみの抑制効果と、半形状の基端部からの傾斜角度を持った立ち上がりによる抑制効果が働き、各辺部分のたわみ量を少なくすることができ、フロアパネルの強度化が図れる。
【００４０】
請求項５又は６記載の発明では、各隅部が分割ディンプル又は補強凸部により補強されるため、請求項１記載の抑制効果がより効果的に働き、各辺部分のたわみ量を少なくできる。このため、さらにフロアパネルの強度化が図れる。
【図面の簡単な説明】
【図１】本発明の第１例を示すフロアパネルの平面図。
【図２】同底面図。
【図３】図２のＡ−Ａ断面図。
【図４】同Ｂ−Ｂ断面図。
【図５】同Ｃ−Ｃ拡大断面図。
【図６】本発明の第２例を示すフロアパネルの底面図。
【図７】本発明の第３例を示すフロアパネルの底面図。
【図８】本発明の第４例を示すフロアパネルの底面図。
【図９】図８のＤ−Ｄ断面図。
【図１０】本発明の第５例を示すフロアパネルの底面図。
【図１１】図１０のＥ−Ｅ断面図。
【図１２】本発明のフロアパネルの試験結果を示す表。
【符号の説明】
１        フロアパネル              ２        表面板
３        裏面板                    ５        ディンプル
６        半ディンプル              ７        分割ディンプル
３１      凹面                      ５０      ディンプル群
【図１】
0003931257.tif 000002
【図２】
0003931257.tif 000003
【図３】
0003931257.tif 000004
【図４】
0003931257.tif 000005
【図５】
0003931257.tif 000006
【図６】
0003931257.tif 000007
【図７】
0003931257.tif 000008
【図８】
0003931257.tif 000009
【図９】
0003931257.tif 000010
【図１０】
0003931257.tif 000011
【図１１】
0003931257.tif 000012
【図１２】
0003931257.tif 000013